(57)【特許請求の範囲】
【請求項１】
底壁と、その底壁の縁部から上方に向かって立設する側壁と、その側壁と前記底壁とで囲まれる空間であって苗や培土を収納する収納空間と、その収納空間に培土や苗を入れるために前記側壁の上縁部により形成される開口面とを備えた育苗ポットにおいて、
前記側壁の一部であって、前記側壁の上縁部との間に所定間隔を空けた部分に他の側壁の外面よりも前記収納空間側に窪む第１凹部と、
その第１凹部の前記開口面を臨む部分に開口され、前記収納空間に収納される苗に関する情報が表示された表示板を差込む差込み口とを備えていることを特徴とする育苗ポット。
【請求項２】
前記第１凹部は、前記側壁の上縁部との間に所定間隔を空けた位置から前記底壁側に向かって帯状に延びて形成されていることを特徴とする請求項１に記載の育苗ポット。
【請求項３】
前記側壁の一部であって、他の側壁の外面よりも前記収納空間側に窪み、前記側壁の上縁部との間に所定間隔を空けた位置から前記底壁側に向かって帯状に延びる少なくとも１以上の第２凹部を備え、
その第２凹部と第１凹部とは、その外観形状を異にするように構成されていることを特徴とする請求項２に記載の育苗ポット。
【請求項４】
前記第１凹部と前記側壁の上縁部との間に開けられる所定間隔は、前記第２凹部と前記側壁の上縁部との間に開けられる所定間隔よりも広く開けられて構成されていることを特徴とする請求項３に記載の育苗ポット。
【請求項５】
前記第１凹部と第２凹部との各々は、前記側壁の全周を略等分するように配置されていることを特徴とする請求項３又は４に記載の育苗ポット。
【請求項６】
前記第１凹部の底壁側または前記第２凹部の底壁側に隣設され、前記側壁から底壁に亘って断面視略Ｌ字型に開口する開口部を備えていることを特徴とする請求項１から５のいずれかに記載の育苗ポット。
【請求項７】
前記開口部は前記第１凹部と前記第２凹部との間および隣合う第２凹部の間に各々配置されていることを特徴とする請求項６に記載の育苗ポット。
【請求項８】
請求項１から７のいずれかに記載の育苗ポットと、
その育苗ポットに備えられた差込み口に差し込まれ、前記育苗ポットに収納されている苗に関する情報が表示されている表示板とを備えていることを特徴とする表示板付育苗ポット。
【請求項９】
前記第１凹部は前記側壁に複数備えられており、その各々に前記差込み口が開口されていることを特徴とする請求項１又は２に記載の育苗ポット。
【請求項１０】
前記第１凹部の各々は、前記側壁の全周に対して略等間隔に配置されていることを特徴とする請求項９に記載の育苗ポット。
【請求項１１】
前記側壁は平面視多角形に形成されており、前記第１凹部は、その側壁を形成する各面の各々に少なくとも１つ以上配置されていることを特徴とする請求項９又は１０に記載の育苗ポット。
【請求項１２】
前記第１凹部の底壁側に隣設され、前記側壁から底壁に亘って断面視略Ｌ字型に開口する開口部を備えていることを特徴とする請求項９から１１のいずれかに記載の育苗ポット。
【請求項１３】
前記開口部は隣合う２つの第１凹部の間に各々配置されていることを特徴とする請求項１２に記載の育苗ポット。
【請求項１４】
請求項９から１３のいずれかに記載の育苗ポットと、
その育苗ポットに備えられた差込み口に差し込まれ、前記育苗ポットに収納されている苗に関する情報が表示されている表示板とを備えていることを特徴とする表示板付育苗ポット。
【発明の詳細な説明】
【技術分野】
【０００１】
本発明は、苗に関する情報が表示された表示板を育苗ポットに対して略直立した状態で固定することができると共に、育苗ポット内に培土が収納されている状態であっても、その表示板を取付けるための位置を外部から容易に把握することができる育苗ポット及び表示板付育苗ポットに関する。
【背景技術】
【０００２】
従来より、草花や野菜等の苗を育苗するためにポリエチレンやポリプロピレン等の軟質合成樹脂で構成された育苗ポットが使用されている。この育苗ポットで育苗される苗は、育苗ポットごと運搬され、店頭にて展示販売される。店頭での展示販売の際には、消費者のために、育苗ポットに苗の名称、栽培方法、成長後の様子を表す図形や写真等の苗に関する情報が表示された表示板が取付けられる。
【０００３】
育苗ポットに取付けられる表示板は、苗に関する情報を表示する表示部と、その表示部から延びる脚部とから構成されているものが多い。この表示板を育苗ポットに取付ける方法としては、表示板の脚部を育苗ポット内に収納されている培土に直接に差込んだり、表示板の脚部を育苗ポットにホッチキス等の締結具によって直接に締結させたりする方法が採られている。
【０００４】
しかし、表示板を直接に培土に差込む方法では、表示板を育苗ポットから簡単に引く抜くことができるため、例えば、運搬時の衝撃や消費者のいたずら行為等によって、表示板が引き抜かれれてしまうと、特に、苗が幼苗である場合には、元の育苗ポットに表示板を正しく差戻すことができないという問題点があった。
【０００５】
また、ホッチキス等の締結具によって締結する方法では、表示板が育苗ポットから簡単に引き抜かれることはないものの、その締結作業に非常に手間が掛かるという問題点があった。
【０００６】
そこで、上述した問題点を解決すべく、特許文献１には、育苗ポットの上縁部に設けた鍔部と、その鍔部に表示板を差込むための孔とを備えた育苗ポットが開示されている。この育苗ポットによれば、表示板は鍔部に設けた孔に差込まれ、その孔と係合した状態で育苗ポットに取付けられる。よって、育苗ポットから表示板を引き抜かれ難くすることができると共に、表示板の取り付け作業を簡単にすることができる。
【特許文献１】実公平７−４６１２８号公報（図１等）
【発明の開示】
【発明が解決しようとする課題】
【０００７】
しかしながら、上述した特許文献１に記載した方法では、表示板を孔の部分だけで支持しているため表示板がぐらつき易く、風、運搬時の衝撃、自重等の影響により、ある育苗ポットに取付けた表示板は右に傾いたり、別の育苗ポットに取付けた表示板は前のめりになったりする等、表示板を育苗ポットに対して略直立した状態で固定することができないという問題点があった。
【０００８】
一方で、本出願人は、かかる問題点を解決すべく、孔を鍔部ではなく、育苗ポットの側壁に設けることを試みた。この場合、孔に差込まれた表示板は、育苗ポットの側壁と培土とによって挟み込まれる状態になるので、特許文献１に記載された方法に比べて表示板のぐらつきが少なく、表示板を育苗ポットに対して略直立した状態で固定することができた。
【０００９】
しかし、表示板は育苗ポットに培土を収納した後に取付けられるので、本出願人が試みた方法では、孔に表示板を差込む際には、孔は培土に埋もれ、育苗ポットの開放面からは孔の位置を把握することができず、また、この孔は一直線状の切込みで形成されているので、育苗ポットの側面からも孔の位置を把握するのが困難であるという問題点があった。
【００１０】
本発明は、上述した問題点を解決するためになされたものであり、苗に関する情報が表示された表示板を育苗ポットに対して略直立した状態で固定することができると共に、育苗ポット内に培土が収納されている状態であっても、その表示板を取付けるための位置を外部から容易に把握することができる育苗ポット及び表示板付育苗ポットを提供することを目的としている。
【課題を解決するための手段】
【００１１】
この目的を達成するために請求項１記載の育苗ポットは、底壁と、その底壁の縁部から上方に向かって立設する側壁と、その側壁と前記底壁とで囲まれる空間であって苗や培土を収納する収納空間と、その収納空間に培土や苗を入れるために前記側壁の上縁部により形成される開口面と、前記側壁の一部であって、前記側壁の上縁部との間に所定間隔を空けた部分に他の側壁の外面よりも前記収納空間側に窪む第１凹部と、その第１凹部の前記開口面を臨む部分に開口され、前記収納空間に収納される苗に関する情報が表示された表示板を差込む差込み口とを備えていることを特徴とする育苗ポット。
【００１２】
この請求項１に記載の育苗ポットによれば、苗に関する情報が表示された表示板は差込み口に差込まれることで育苗ポットに取付けられる。ここで、この差込み口は第１凹部の開口面を臨む部分に開口されているので、収納空間に培土を収納した後に、開口面からは差込み口を把握することはできない。一方、差込み口が開口されている第１凹部は、側壁の一部であって他の側壁の外面よりも収納空間側に窪んだ部分であるので、その第１凹部を目印とすることで、差込み口の位置は、育苗ポットの側壁側から把握される。また、第１凹部は、側壁の上縁部との間に所定間隔を空けた部分に設けられているので、その所定間隔を空けた部分では、差込み口に差込まれた表示板は、側壁の内面と培土とによって挟まれた状態とされる。
【００１３】
請求項２記載の育苗ポットは、請求項１記載の育苗ポットにおいて、前記第１凹部は、前記側壁の上縁部との間に所定間隔を空けた位置から前記底壁側に向かって帯状に延びて形成されている。
【００１４】
請求項３記載の育苗ポットは、請求項２に記載の育苗ポットにおいて、前記側壁の一部であって、他の側壁の外面よりも前記収納空間側に窪み、前記側壁の上縁部との間に所定間隔を空けた位置から前記底壁側に向かって帯状に延びる少なくとも１以上の第２凹部を備え、その第２凹部と第１凹部とは、その外観形状を異にするように構成されている。
【００１５】
請求項４記載の育苗ポットは、請求項３に記載の育苗ポットにおいて、前記第１凹部と前記側壁の上縁部との間に開けられる所定間隔は、前記第２凹部と前記側壁の上縁部との間に開けられる所定間隔よりも広く開けて構成されている。
【００１６】
請求項５記載の育苗ポットは、請求項３又は４に記載の育苗ポットにおいて、前記第１凹部と第２凹部との各々は、前記側壁の全周を略等分するように配置されている。
【００１７】
請求項６記載の育苗ポットは、請求項１から５のいずれかに記載の育苗ポットにおいて、前記第１凹部の底壁側または前記第２凹部の底壁側に隣設され、前記側壁から底壁に亘って断面視略Ｌ字型に開口する開口部を備えている。
【００１８】
請求項７記載の育苗ポットは、請求項６に記載の育苗ポットにおいて、前記開口部は前記第１凹部と前記第２凹部との間および隣合う第２凹部の間に各々配置されている。
【００１９】
請求項８記載の表示板付育苗ポットは、請求項１から７のいずれかに記載の育苗ポットと、その育苗ポットに備えられた差込み口に差し込まれ、前記育苗ポットに収納されている苗に関する情報が表示されている表示板とを備えている。
【００２０】
請求項９記載の育苗ポットは、請求項１又は２に記載の育苗ポットにおいて、前記第１凹部は前記側壁に複数備えられており、その各々に前記差込み口が開口されている。
【００２１】
請求項１０記載の育苗ポットは、請求項９に記載の育苗ポットにおいて、前記第１凹部の各々は、前記側壁の全周に対して略等間隔に配置されている。
【００２２】
請求項１１記載の育苗ポットは、請求項９又は１０に記載の育苗ポットにおいて、前記側壁は平面視多角形に形成されており、前記第１凹部は、その側壁を形成する各面の各々に少なくとも１つ以上配置されている。
【００２３】
請求項１２記載の育苗ポットは、請求項９から１１のいずれかに記載の育苗ポットにおいて、前記第１凹部の底壁側に隣設され、前記側壁から底壁に亘って断面視略Ｌ字型に開口する開口部を備えている。
【００２４】
請求項１３記載の育苗ポットは、請求項１２に記載の育苗ポットにおいて、前記開口部は隣合う２つの第１凹部の間に各々配置されている。
【００２５】
請求項１４記載の育苗ポットは、請求項９から１３のいずれかに記載の育苗ポットと、その育苗ポットに備えられた差込み口に差し込まれ、前記育苗ポットに収納されている苗に関する情報が表示されている表示板とを備えている。
【発明の効果】
【００２６】
請求項１記載の育苗ポットによれば、差込み口が開口されている第１凹部は、側壁の上縁部との間に所定間隔を空けた部分に設けられているので、その所定間隔を空けた部分では、差込み口に差込まれた表示板は、側壁の内面と培土とによって挟まれた状態とされる。よって、表示板を育苗ポットに対して略直立した状態で固定することができるという効果がある。
【００２７】
また、差込み口が開口されている第１凹部は、側壁の一部であって他の側壁の外面よりも収納空間側に窪んだ部分であるので、収納空間に培土を収納し、差込み口が培土に埋もれ、開口面から差込み口の位置を把握することができなくなったとしても、第１凹部を目印とすることで、育苗ポットの側壁側から差込み口の位置を把握することができるという効果がある。
【００２８】
請求項２記載の育苗ポットによれば、請求項１に記載の育苗ポットの奏する効果に加え、第１凹部は、側壁の上縁部との間に所定間隔を空けた位置から底壁側に向かって帯状に延びて形成されているので、苗の根が根巻き状態になるのを防止して、苗の根を底壁側に導くことができるという効果がある。
【００２９】
育苗ポットで育苗されている苗は、育苗ポットの略中央部に植えられる。苗の根は、育苗ポットの中央部から側壁に向かって延び、更に、側壁に当たる位置まで延びると、側壁の周方向に沿って延びてゆき、所謂根巻き状態になる。根巻き状態になると、培土中の水分が不均一になったり、根に供給される酸素流通が阻害されたり、根の健全な育成が阻害される。しかし、この育苗ポットによれば、側壁の周方向に沿って延びる苗の根は、第１凹部に当たり、底壁側に延びる第１凹部に沿って底壁側に延びていくので、根巻きの発生を防止し、根の健全な育成を促進させることができるという効果がある。
【００３０】
請求項３記載の育苗ポットによれば、請求項２に記載の育苗ポットの奏する効果に加え、側壁の一部であって、他の側壁の外面よりも収納空間側に窪み、側壁の上縁部との間に所定間隔を空けた位置から底壁側に向かって帯状に延びる少なくとも１以上の第２凹部を備えているので、第１凹部に加え、この第２凹部に当たった根も、第２凹部に沿って底壁側に延びてゆくので、より効率的に根巻き状態になるのを防止することができる。
【００３１】
また、第２凹部と第１凹部とは、その外観形状を異にするように構成されているので、たとえ、第２凹部を備えている場合であっても、第２凹部と第１凹部とを区別でき、第１凹部を目印として、第１凹部に開口する差込み口の位置を簡単に把握することができるという効果がある。
【００３２】
請求項４記載の育苗ポットによれば、請求項３に記載の育苗ポットの奏する効果に加え、第１凹部と側壁の上縁部との間に開けられる所定間隔は、第２凹部と側壁の上縁部との間に開けられる所定間隔よりも広く開けて構成されているので、側壁の上縁部との間に開けられた所定間隔を比べることで、第１凹部と第２凹部とを一見して区別することができるという効果がある。
【００３３】
請求項５記載の育苗ポットによれば、請求項３又は４に記載の育苗ポットの奏する効果に加え、第１凹部と第２凹部との各々は、側壁の全周を略等分するように配置されているので、苗の根を略均等に底壁側に導くことができるという効果がある。
【００３４】
請求項６記載の育苗ポットによれば、請求項１から５のいずれかに記載の育苗ポットの奏する効果に加え、第１凹部の底壁側または第２凹部の底壁側に隣設され、側壁から底壁に亘って断面視略Ｌ字型に開口する開口部を備えているので、第１凹部や第２凹部に沿って底壁側に延びる根を開口部を介して外部に導くことができる。よって、第１凹部や第２凹部に沿って底壁側に延びた根が、底壁において根巻き状態になるのを防止することができるという効果がある。
【００３５】
請求項７記載の育苗ポットによれば、請求項６に記載の育苗ポットにおいて、開口部は第１凹部と第２凹部との間および隣合う第２凹部の間に各々配置されているので、第１凹部や第２凹部に沿って底壁側に延びた根を略均等に開口部から外部に導くことができる。よって、開口部が根によって詰まることが抑制され、開口部から根を円滑に外部に導くことができるという効果がある。
【００３６】
請求項８記載の表示板付育苗ポットによれば、請求項１から７のいずれかに記載の育苗ポットと同様な効果を奏することができる。
【００３７】
請求項９記載の育苗ポットによれば、請求項１又は２に記載の育苗ポットの奏する効果に加え、第１凹部は側壁に複数備えられ、その各々に差込み口が開口されているので、例えば、苗として花の咲いた苗が植えられている場合に、その花の正面が向く方向に対応した位置に配置されている差込み口に表示板を差し込むことで、花の正面と、苗に関する情報が表示されている表示板の面とが同一方向に向くように表示板を育苗ポットに取り付けることができる。よって、その方向を消費者側に向けて販売することで、見た目にも美しく、消費者の購買意欲を喚起させることができるという効果がある。
【００３８】
請求項１０記載の育苗ポットによれば、請求項９に記載の育苗ポットの奏する効果に加え、第１凹部の各々は、側壁の全周に対して略等間隔に配置されているので、苗の根を略均等に底壁側に導くことができるという効果がある。
【００３９】
請求項１１記載の育苗ポットは、請求項９又は１０に記載の育苗ポットの奏する効果に加え、側壁は平面視多角形に形成されており、第１凹部は、その側壁を形成する各面の各々に少なくとも１つ以上配置されているので、側壁の所定の面を消費者に向けて販売する場合にその面には必ず第１凹部が形成されており、その第１凹部に開口する差込み口に表示板を差込むことで、表示板を消費者に向けて取り付けることができるという効果がある。
【００４０】
請求項１２記載の育苗ポットによれば、請求項９から１１のいずれかに記載の育苗ポットの奏する効果に加え、第１凹部の底壁側には、側壁から底壁に亘って断面視略Ｌ字型に開口する開口部を備えているので、第１凹部に沿って底壁側に延びる根を開口部を介して外部に導くことができる。よって、第１凹部に沿って底壁側に延びた根が、底壁において根巻き状態になるのを防止することができるという効果がある。
【００４１】
請求項１３記載の育苗ポットは、請求項１２に記載の育苗ポットの奏する効果に加え、開口部は隣合う２つの第１凹部の間に各々配置されているので、第１凹部に沿って底壁側に延びた根を、略均等に開口部から外部に導くことができる。よって、開口部が根によって詰まることが抑制され、開口部から根を円滑に外部に導くことができるという効果がある。
【００４２】
請求項１４記載の表示板付育苗ポットによれば、請求項９から１３のいずれかに記載の育苗ポットと同様な効果を奏することができる。
【発明を実施するための最良の形態】
【００４３】
以下、本発明の好ましい実施例について添付図面を参照して説明する。本発明の実施例における育苗ポット１は、苗Ｎに関する情報が表示された表示板２を育苗ポット１に対して略直立した状態で固定することができると共に、育苗ポット１内に培土Ｂが収納されている状態であっても、表示板２を取付けるための位置を外部から容易に把握することができるものである。
【００４４】
図１は、育苗ポット１の斜視図である。育苗ポット１は、ポリエチレンＰＥやポリプロピレンＰＰ等の軟質合成樹脂製で、上面に略矩形状の開口面６を有する略中空箱型に形成されている。育苗ポット１で育苗される苗Ｎは、培土Ｂと共に育苗ポット１内に収納されて育苗され、育苗ポット１ごと店頭にて展示販売される。
【００４５】
育苗ポット１には、育苗ポット１で育苗される苗Ｎに関する情報が表示された表示板２が取付けられている。表示板２には、苗Ｎに関する情報として、苗Ｎの名称、栽培方法、成長後の様子を表す図形や写真等が表示されている。消費者は、この表示板２を見ることで、たとえ苗Ｎが幼苗であっても、苗Ｎの種類等を把握することができる。
【００４６】
図２（ａ）は育苗ポット１の平面図であり、図２（ｂ）は図２（ａ）のＩＩ−ＩＩ線における育苗ポット１の断面図である。
【００４７】
育苗ポット１は、底壁３と、その底壁３の縁部から上方に向かって立設する側壁４と、その側壁４と底壁３とで囲まれる空間であって苗Ｎや培土Ｂを収納する収納空間５と、その収納空間５に苗Ｎや培土Ｂを入れるために側壁４の上縁部により形成される開口面６とを備えている。
【００４８】
底壁３は、１辺ａが略８．５ｃｍの略正方形であって、その四隅部が曲線状に形成されている。側壁４は、底壁３から開口面６に向かって拡径し開口面６で終端し、その高さｈ１は略１２．０ｃｍで形成されている。収納空間５は、略１．１リットルの収納容量を有している。開口面６は、１辺ｂが略１２．０ｃｍの略正方形であって、その四隅部が曲線状に形成されている。
【００４９】
また、側壁４には、他の側壁４の外面よりも収納空間５側に窪み、側壁４の上縁部との間に所定間隔を空けた位置から底壁３まで帯状に延びる１つの第１凹部７と３つの第２凹部８とが形成されている。
【００５０】
第１凹部７と第２凹部８とは、所謂根巻きの発生を防止するためのものである。育苗ポット１で育苗されている苗Ｎは、育苗ポット１の略中央部に植えられる。苗Ｎの根は、育苗ポット１の中央部から側壁４に向かって延び、更に、側壁４に当たる位置まで延びると、側壁４の周方向に沿って延びてゆき、所謂根巻き状態になる。苗Ｎの根が根巻き状態になると、培土Ｂ中の水分が不均一になったり、根に供給される酸素流通が阻害されたり、根の健全な育成が阻害される。
【００５１】
しかし、本実施例の育苗ポット１によれば、側壁４の周方向に沿って延びる苗Ｎの根は、第１凹部７や第２凹部８に当たり、底壁３側に延びる第１凹部７や第２凹部８に沿って底壁３側に延びていくので、苗Ｎの根が根巻き状態になるのを防止して、根の健全な育成を促進させることができる。
【００５２】
また、第１凹部７と第２凹部８とは、側壁４を構成する４つの面の略中央部に各々配置されている。即ち、第１凹部７と第２凹部８とは側壁４の全周を略等分するように配置されているので、苗Ｎの根を略均等に底壁３側に導くことができる。
【００５３】
このように、第１凹部７と第２凹部８とは、苗Ｎの根が根巻き状態になるのを防止する機能を有する点で共通するが、一方で、第１凹部７には、表示板２を差込むための差込み口９を設ける部位としての機能をも有し、そのため、第１凹部７と第２凹部８とでは、次の２点において、その構成を異にする。
【００５４】
第１に、第１凹部７は、側壁４の上縁部との間に形成される所定間隔が、第２凹部８のそれより広く形成されている点で異なる。逆に言えば、第１凹部７の底壁３から高さｈ２（＝６．５ｃｍ）は、第２凹部８の底壁からの高さｈ３（＝９．５ｃｍ）より低く形成されている点で異なる。これにより、側壁４の上縁部からの所定間隔や、底壁３からの高さに着目すれば、側壁４の外面を観察することにより、簡単に第１凹部７と第２凹部８とを区別することができる。
【００５５】
第２に、第１凹部７の開口面６を臨む部分には、表示板２を差込む差込み口９が一直線状に開口されている点で異なる。表示板２は、この差込み口９に差込まれることによって育苗ポット１に固定される。
【００５６】
尚、この差込み口９は、第１凹部７の開口面６を臨む部分において、側壁４の内面側に出来るだけ隣接させて配置することが望ましい。この位置に差込み口９を配置することにより、差込み口９に表示板２を差込む場合には、側壁４の内面に沿って表示板２を差込めば、表示板２を差込み口９に到達させ易くすることができる。
【００５７】
この第１凹部７や第２凹部８の他にも、底壁３の四隅部には、側壁４から底壁３に亘って断面視略Ｌ字型に開口する開口部１０形成されている。換言すれば、開口部１０は第１凹部７と第２凹部８との間および隣合う第２凹部８の間に各々配置されている。
【００５８】
開口部１０は、水を外部に排出したり、第１凹部７や第２凹部８に沿って底壁３側に延びる苗Ｎの根を外部に導いたりするためのものである。第１凹部７や第２凹部８に沿って底壁３側に延びた苗Ｎの根は、この開口部１０から外部に導かれるので、底壁３側に延びた根が、底壁３において上述したような根巻き状態になるのを防止することができる。
【００５９】
また、開口部１０は第１凹部７と第２凹部８との間および隣合う第２凹部８の間に各々配置されているので、第１凹部７にや第２凹部８に沿って底壁３側に延びた根を略均等に開口部１０から外部に導くことができる。よって、開口部１０が根によって詰まることが抑制され、開口部１０から根を円滑に外部に導くことができる。
【００６０】
図３（ａ）は、表示板２の拡大図であり、（ｂ）は表示板２を差込み口９に差込んだ状態を示す育苗ポット１の正面図である。
【００６１】
表示板２は、苗に関する情報が表示された表示部２ａと、その表示部２ａから延びる脚部２ｂと、脚部２ｂの途中において脚部２ｂの両側から内側に向けて切欠かれた切欠き部２ｃとで構成されている。
【００６２】
また、表示部２ａから切欠き部２ｃまでの高さｈ４は、側壁４の上縁部から第１凹部７までの所定間隔ｈ５よりも高く形成され、切欠き部２ｃの幅ｃは、差込み口１０の幅ｄより僅かに幅広に形成されている。
【００６３】
このように構成された表示板２は、切欠き部２ｃより下側の脚部２ｂが差込み口９に差込まれて育苗ポット１に固定される。この場合、表示部２ａから切欠き部２ｃまでの高さｈ４は、側壁４の上縁部から第１凹部７までの所定間隔ｈ５よりも高く形成されているので、表示部２ａが側壁４に隠れることを防止でき、表示部２ａの全面を消費者に見せることができる。
【００６４】
また、切欠き部２ｃの幅ｃは、差込み口９の幅ｄより僅かに幅広に形成されているので、表示板２を差込み口に差込む場合には、切欠き部２ｃは差込み口９によって圧縮された状態で差込まれ、差込み口９を通過すると元の状態に復帰することになる。
【００６５】
よって、差込み口９に差し込まれた表示板２を引き抜こうとする場合には、切欠き部２ｃが差込み口９に当たるので、表示板２を育苗ポット１から簡単に引き抜くことができなくなる。従って、例えば、苗Ｎが幼苗である場合に、消費者等のいたずら行為等によって表示板２が引き抜かれ、元の育苗ポット１に表示板２を正しく差戻すことができなくなるという弊害が生ずるのを防止することができる。
【００６６】
尚、表示板２の材質は、特に限定されるものではないが、表面に印刷ができ撥水性を有することが好ましい。また、成形性やコストの観点からは、ポリエチレンＰＥ、ポリプロピレンＰＰ等の合成樹脂で製造することが好ましい。
【００６７】
次に、図４を参照して、育苗ポット１に表示板２を取り付ける場合の動作について説明する。（ａ）は、第１凹部７を手前側とした育苗ポット１の斜視図であり、（ｂ）は第１凹部７を背面側とした育苗ポット１の斜視図である。尚、図４では、図面の理解を容易にすべく、培土Ｂや苗Ｎの図示は省略してある。
【００６８】
通常、表示板２は、育苗ポット１に培土Ｂを収納した後に差込み口９に差込まれ、育苗ポット１に取付けられる。また、培土Ｂは第１凹部７よりも高い位置になるまで収納される。よって、育苗ポット１に培土Ｂを収納した後には、差込み口９は、培土Ｂに埋まり、開口面６からは、差込み口９の位置を把握することができない。
【００６９】
一方、側壁４の外面側からは、側壁４の外面から窪む第１凹部７と第２凹部８との位置は簡単に把握でき、更に、側壁４の上縁部からの所定間隔や底壁３からの高さに注目すれば、第１凹部７の位置は簡単に把握することができる。即ち、差込み口９は、第１凹部７の開口面６を臨む位置に配置されているので、第１凹部７の位置を把握できれば、差込み口９の位置も把握することができる。
【００７０】
こうして、第１凹部７の位置を把握した後は、表示板２を脚部２ｂ側から、第１凹部７に沿うように側壁４の内面と培土Ｂとの間に差込む。すると、脚部２ｂの切欠き部２ｃより下方の部分が、差込み口９に差込まれ、表示板２が育苗ポット１に取付けられる。
【００７１】
この状態で、表示板２の脚部２ｂにおいて切欠き部２ｃより上方の部分は、側壁４の内面と培土Ｂとに挟まれた状態となるので、従来と比べて、表示板２を育苗ポット１に対して直立した状態で固定することができる。
【００７２】
次に、図５を参照して第２実施例の育苗ポット１００について説明する。図５（ａ）は育苗ポット１００の平面図であり、図５（ｂ）は図５（ａ）のＶ−Ｖ線における育苗ポット１００の断面図である。尚、図５は図２に対応する図であり、第１実施例の育苗ポット１と共通する構成については同一の符号を付し、その説明は省略する。
【００７３】
第２実施例の育苗ポット１００は、第１実施例の育苗ポット１において側壁４の３つ面の各々に配置されていた３つの第２凹部８に代えて、その側壁４の３つの面の各々に第１凹部７を配置して構成され、また、その第１凹部７の各々には差込み口９が開口されている。即ち、第２実施例の育苗ポット１００は、側壁４の各面に差込み口９が開口された第１凹部７が配置された育苗ポットである。
【００７４】
図６は、第２実施例の育苗ポット１００に表示板２を差込む状況を示す育苗ポット１００の斜視図である。
【００７５】
花Ｆの咲いた状態の苗Ｎを育苗ポットごと販売する場合には、花Ｆの正面を消費者側に向けると共に、その花Ｆの手前側において苗Ｎに関する情報が表示されている面が消費者側に向くように表示板２を育苗ポットに取り付けることがこの好ましい。
【００７６】
しかし、花Ｆが何れの方向に向いて咲くのかは、花Ｆが咲いてみない限り不明であるため、花Ｆの向いている方向と同じ方向に、苗Ｎに関する情報が表示されている表示板２の面を向けるには、花Ｆが咲いた後に、その花Ｆの向きに合わせて表示板２を育苗ポット１００に取り付ける必要がある。
【００７７】
ところが、上述した第１実施例の育苗ポット１では、差込み口９が開口された第１凹部７は側壁４の１つの面にしか配置されていないため、たまたま花Ｆが第１凹部７が配置された面に向いて咲いたり、第１凹部７が配置された面に花Ｆの正面が向くように苗Ｎを植え替えたりしない限り、花の正面と、苗Ｎに関する情報が表示されている表示板２の面とを同一方向に向けるこはできない。
【００７８】
一方、第２実施例の育苗ポット１００によれば、側壁４の各面に差込み口９が開口された第１凹部７が配置されているので、例えば、花Ｆの正面が矢印Ａ方向に向いている場合には、その花Ｆの正面が向いている方向に対応した第１凹部７の差込み口９に表示板２を差込み（図中の実線参照）、また、花の正面が矢印Ｂ方向に向いている場合には、その花の正面が向いている方向に対応した第１凹部７の差込み口９に表示板２を差込むことで（図中の点線参照）、苗Ｎに関する情報が表示されている表示板２の面が、花Ｆの正面と同じ方向に向くように、表示板２を育苗ポット１００に取り付けることができる。よって、花Ｆの正面と、苗Ｎに関する情報が表示されている表示板２の面とを消費者側に向けて販売することができ、見た目の美しさから消費者の購買意欲を喚起させることができる。
【００７９】
また、第１実施例の育苗ポット１のように、側面４に形成された凹部が第１凹部７であるか第２凹部８であるかを判断する必要はなく、側面４に形成された凹部は全て第１凹部７であり、その第１凹部７には差込み口９が開口されているので、収納空間５に培土Ｂによって差込み口９が埋もれ、差込み口９の位置を外部から把握できなくても、第１凹部７の窪みを目印とすることで、表示板２を差込む位置を外部から容易に判断することができる。
【００８０】
以上、上記実施例に基づき本発明を説明したが、本発明は上記実施例に何ら限定されるものでなく、本発明の主旨を逸脱しない範囲内で種々の改良変形が可能であることは容易に推察できるものである。
【００８１】
例えば、上記実施例においては、第１凹部７と第２凹部８とを区別する方法として、側壁４の上縁部からの所定間隔の違いや、底壁３からの高さの違いにより区別する方法を説明した。しかしながら、第１凹部７と第２凹部８とを区別する方法としては、かかる方法に限定されるものではない。例えば、帯状に形成される第１凹部７と第２凹部８との幅を異にするようにしても良く、第１凹部７と第２凹部８との外観形状を異にし、第１凹部７と第２凹部８とを区別可能であれば良い。
【００８２】
また、上記実施例では、第１凹部７に、差込み口９を設けるための部位としての機能と、苗Ｎの根を底壁３側に導くための機能との２つの機能を持たせる場合について説明した。しかしながら、第１凹部７には、苗Ｎの根を底壁３側に導く機能を持たせず、差込み口９を設けるための部位としての機能だけを持たせるようにしても良い。かかる場合、第１凹部７は、本実施例のように帯状に形成する必要はなく、例えば、えくぼ的に収納空間５側に窪むように形成していも良い。
【００８３】
また、上記実施例では、第１凹部７と第２凹部８とは、側壁４の外面から収納空間５側に窪むように形成する場合について説明した。しかしながら、第１凹部７と第２凹部８とは、側壁４の内面から収納空間５側に突出するように形成しても良い。但し、かかる場合には、側壁４の外面には、差込み口９の位置を示すような目印を設ける必要がある。
【００８４】
また、上記実施例では、第１凹部７だけに差込み口９を設けると共に、３つの第２凹部８は全て略同様に構成する場合について説明した。しかしながら、第１凹部７と３つの第２凹部８との各々に関し、底壁３から延びる高さを異にすると共に、第１凹部７と３つの第２凹部８との全てに差込み口９を設けるように構成しても良い。かかる場合には、側壁４の上縁部から各凹部７，８までの所定間隔が異なり、表示板２の表示部２ａから切欠き部２ｃまでの長さが異なる種々の表示板２を、その所定間隔に応じた凹部に差込むことができる。
【００８５】
また、上記実施例では、中空箱状の育苗ポット１について具体的な数値を上げて説明したが、育苗ポット１の形状や大きさは、かかるものに限定されるものではなく、形状は円筒状や多角形状のものであっても良く、大きさも上記実施例のものよりも大きくても、小さくても良いことは言うまでもない。
【図面の簡単な説明】
【００８６】
【図１】育苗ポットの斜視図である。
【図２】（ａ）は育苗ポットの平面図であり、（ｂ）は（ａ）のＩＩ−ＩＩ線における育苗ポットの断面図である。
【図３】（ａ）は表示板の拡大図であり、（ｂ）は表示板を差込み口に差込んだ状態を示す育苗ポットの正面図である。
【図４】（ａ）は、第１凹部を手前側とした育苗ポット１の斜視図であり、（ｂ）は第１凹部を背面側とした育苗ポットの斜視図である。
【図５】（ａ）は第２実施例の育苗ポットの平面図であり、（ｂ）は（ａ）のＶ−Ｖ線における第２実施例の育苗ポットの断面図である。
【図６】図６は、第２実施例の育苗ポットに表示板を差込む状況を示す育苗ポットの斜視図である。
【符号の説明】
【００８７】
１，１００    育苗ポット
２            表示板
３            底壁
４            側壁
５            収納空間
６            開口面
７            第１凹部
８            第２凹部
９            差込み口
１０          開口部
Ｎ            苗
Ｂ            培土
Ｆ            花
【要約】
【課題】  苗に関する情報が表示された表示板を育苗ポットに対して略直立した状態で固定することができると共に、育苗ポット内に培土が収納されている状態であっても、その表示板を取付けるための位置を外部から容易に把握することができる育苗ポット及び表示板付育苗ポットを提供すること。
【解決手段】  表示板２を差込む差込み口９を第１凹部７の開口面６を臨む部分に開口する。この第１凹部７は、側壁４の一部であって、側壁４の上部縁部との間に所定間隔を開けた部分に他の側壁４の外面よりも収納空間５側に窪んで形成されている。差込み口９の位置は、側壁４の外面から第１凹部７を目印とすることで把握される。また、差込み口９に差込まれた表示板２は、側壁４の内面と培土Ｂとによって挟み込まれた状態で育苗ポット１に取付けられる。
【選択図】        図４
【図１】
0003556213.tif 000002
【図２】
0003556213.tif 000003
【図３】
0003556213.tif 000004
【図４】
0003556213.tif 000005
【図５】
0003556213.tif 000006
【図６】
0003556213.tif 000007